(57)【特許請求の範囲】
【請求項１】
平面視長方形状の水槽の底面部を略水平に形成し、該水槽の前縁に該底面部から斜め上方に連なる傾斜面部を形成し、該傾斜面部の上端部に駆動機構によって回転駆動されるスプロケットを設け、該水槽の幅方向略々中央に該水槽の長手方向と平行なるように間仕切板を起立状に設けて該水槽を第１域と第２域とに仕切するとともに、該水槽の上方空間をも該間仕切板によって仕切することでコンクリートミキサー車から排出されるコンクリートスラリーが該間仕切板に当たって該水槽の第１域に投入されるようにし、該間仕切板の前方縁と前記傾斜面部との隙間を通水部として該通水部にて前記第１域と第２域とを連通させ、該第２域に水切ゲートを設け、前記第１域に投入されたコンクリートスラリーが前記通水部をＵターンして該第２域に流れて該コンクリートスラリー中の水分が前記水切ゲートから排出されるようにし、前記間仕切板の上方部に樋形の天板を支持し、無端状に形成されたコンベヤチェーンに先端縁が外周向になるように複数のレーキを適宜間隔で取着するとともに、先端縁が内周向になるように複数のスクレーパを該コンベヤチェーンに適宜間隔で取着し、該コンベヤチェーンを前記水槽の底面部から傾斜面部に亘ってを往路とし前記天板上を帰路として巡回動するように前記スプロケットに巻き掛けし、該水槽内底部に沈降した固形物を前記レーキにより前記傾斜面部に掻き揚げるとともに、前記スクレーパにより前記天板上の固形物を後方に移動させ該固形物を該水槽における前記第１域の前記通水部から離れた部位に落下させるようにしたことを特徴とするコンクリートスラリー処理装置。
【発明の詳細な説明】
【技術分野】
【０００１】
本発明は、コンクリートミキサー車のドラムを洗浄した際に排出される泥水状のコンクリートスラリー（セメントスラッジともいう）を適切に処理するコンクリートスラリー処理装置に関するものである。
【背景技術】
【０００２】
周知のように、生コン工場では、生コンを配送して工場に戻ってきたコンクリートミキサー車のドラム内に洗浄水を注入して洗浄する必要があり、その際にドラム内に残っていた生コン（戻りコンという）が洗浄水とともに多量に排出される。
下記特許文献１に示される処理装置は、こうして排出されたコンクリートスラリーを水槽に投入し、砂利，砂，セメント等の固形分を該水槽の底面部に沈降させるとともに、チェーンコンベヤを低速で駆動することによって該固形分をゆっくり掻き揚げる一方、該水槽の一側に複数本の円筒状部材（以下、パイプという）を横架状に段積みしてなる水切ゲートを設け、コンクリートスラリー中の水分を各パイプ間の僅かな隙間から流出させ、この水分は洗浄水として再利用し、該チェーンコンベヤによって掻き揚げた固形分はセメントの水和反応で固結させることにより、路盤材等に再利用できるようにするコンクリートスラリー処理装置である。
また、下記特許文献２に示された処理装置は、上記水切ゲートを構成するパイプを自転させて各パイプ間の隙間を適時拡大することにより、上澄水の排出を促進させるとともに各パイプ間が固形物によって目詰まりするのが防止されるようにしたものである。
また、下記特許文献３に示された処理装置では、水槽の幅方向略々中央に該水槽の長手方向と平行なるように間仕切板を起立状に設けて該水槽を第１域と第２域とに仕切するとともに該第２域に水切ゲートを設けることで該第１域に投入したコンクリートスラリーが該間仕切板をＵターンして第２域に流れて該コンクリートスラリー中の水分が該水切ゲートから排出されるようにし、前記間仕切板の上方にコンベヤチェーン帰戻用のガイドレールを配設し、適宜間隔でレーキが装着された無端状のコンベヤチェーンを前記水槽の底面部から傾斜面部に亘ってを往路とし前記ガイドレールを帰路とするように張設し、該チェーンコンベヤを駆動することで、前記レーキが前記水槽の底面部から傾斜面部に沿って移動し前記第１域および前記第２域に沈降した固形分が該レーキによって該傾斜面部に掻き揚げられるようにしたもので、これにより、水槽がさほど大きくなくてもコンクリートスラリー中の固形物が沈降するに必要十分な滞留時間が得られて固形物が水槽内に沈降し易くするとともに、帰戻り中のチェーンコンベヤにより水槽内が撹拌されることがないようにしている。
【先行技術文献】
【特許文献】
【０００３】
【特許文献１】特許第４２７７０５７号公報
【特許文献２】特許第５６３８４８７号公報
【特許文献３】特開２０１９−１８４５４号公報
【発明の概要】
【発明が解決しようとする課題】
【０００４】
ところで、このようなコンクリートスラリー処理装置では、水槽の上方を帰戻するコンベヤチェーンから該コンベヤチェーンに付着しているセメント等の固形物が水槽中に落下し、該固形物により該水槽を混濁させるおそれがあった。そのため水槽の上方部に天板を設け、コンベヤチェーンから離脱する固形物を該天板によって受ける構造とすることも考えられていたが、コンベヤチェーンから離脱した固形物が天板上に溜まって固結し、コンベヤチェーンがスムースに移動しなくなるおそれがあった。
本発明はこのような問題点を解決しようとするものである。
【課題を解決するための手段】
【０００５】
そのために本発明に係るコンクリートスラリー処理装置は、平面視長方形状の水槽の底面部を略水平に形成し、該水槽の前縁に該底面部から斜め上方に連なる傾斜面部を形成し、該傾斜面部の上端部に駆動機構によって回転駆動されるスプロケットを設け、該水槽の幅方向略々中央に該水槽の長手方向と平行なるように間仕切板を起立状に設けて該水槽を第１域と第２域とに仕切するとともに、該水槽の上方空間をも該間仕切板によって仕切することでコンクリートミキサー車から排出されるコンクリートスラリーが該間仕切板に当たって該水槽の第１域に投入されるようにし、該間仕切板の前方縁と前記傾斜面部との隙間を通水部として該通水部にて前記第１域と第２域とを連通させ、該第２域に水切ゲートを設け、前記第１域に投入されたコンクリートスラリーが前記通水部をＵターンして該第２域に流れて該コンクリートスラリー中の水分が前記水切ゲートから排出されるようにし、前記間仕切板の上方部に樋形の天板を支持し、無端状に形成されたコンベヤチェーンに先端縁が外周向になるように複数のレーキを適宜間隔で取着するとともに、先端縁が内周向になるように複数のスクレーパを該コンベヤチェーンに適宜間隔で取着し、該コンベヤチェーンを前記水槽の底面部から傾斜面部に亘ってを往路とし前記天板上を帰路として巡回動するように前記スプロケットに巻き掛けし、該水槽内底部に沈降した固形物を前記レーキにより前記傾斜面部に掻き揚げるとともに、前記スクレーパにより前記天板上の固形物を後方に移動させ該固形物を該水槽における前記第１域の前記通水部から離れた部位に落下させるようにしたことを特徴とする。
【発明の効果】
【０００６】
帰戻中のコンベヤチェーンから離脱した固形物は水槽における前記第１域の前記通水部から離れた部位に落下するので、水槽を混濁させ難く、水槽における水と固形物との分離が促進される。また、稼働中に固形物が天板上に溜まって固結するのが防止されるので、コンベヤチェーンを常にスムースに移動させる。
【図面の簡単な説明】
【０００７】
【図１】本発明の実施形態を示すコンクリートスラリー処理装置の縦断面図。
【図２】本発明の実施形態を示すコンクリートスラリー処理装置の平面図。
【図３】図１のＡ−Ａ線断面矢視図。
【図４】図１のＢ−Ｂ線断面矢視図。
【図５】図１のＣ−Ｃ線断面矢視図。
【図６】図２のＤ−Ｄ線矢視図。
【図７】本発明の実施形態を示すコンクリートスラリー処理装置のコンベヤチェーンの斜視図。
【図８】本発明の実施形態を示すコンクリートスラリー処理装置のコンベヤチェーンの斜視図。
【図９】本発明の実施形態を示すコンクリートスラリー処理装置のレーキの作動状態を示す拡大図。
【図１０】図１の部分拡大図。
【図１１】図１のＥ−Ｅ線断面拡大図。
【発明を実施するための形態】
【０００８】
図３、図４に示されるように水槽１は、鋼板製の両側板２，３と、後側板４と、水平な底面部５とからなる上面が開放された平面視長方形状のもので、該水槽１の前縁に該底面部５から斜め上方に連なる傾斜面部６を形成している。該傾斜面部６は、図１に示したように支柱６ａによって水平面に対して約３０度傾斜するように支持され、該傾斜面部６の上端部には排出口９が開設され、該傾斜面部６の両側縁には側壁板７，８が形成されている。
また、水槽１の幅方向の略々中央に鋼板からなる間仕切板１０を該水槽１の長手方向と平行なるように起立状に設け、図３に示したように該水槽１内を該間仕切板１０によって第１域１ａと第２域１ｂとに２分割している。なお、該間仕切板１０は前方縁が前記傾斜面部６までは達しておらず、該間仕切板１０の前方縁と傾斜面部６と間に隙間があり、該隙間を通水部１１としていて、第１域１ａと第２域１ｂとを該通水部１１にて連通させている。また、該間仕切板１０は地上からの高さが３ｍ以上で該水槽１の上方空間をも該間仕切板１０によって仕切られるようにしている。このため図１に示したようにコンクリートミキサー車８０のドラムからコンクリートスラリーが勢いよく排出されても、該コンクリートスラリーが該間仕切板１０に当たることで、該コンクリートスラリーは前記第１域１ａに確実に投入されるようにしている。
【０００９】
また、前記水槽１の両側板２，３の外面側にそれぞれ適宜間隔でチャンネル部材からなる複数本の支柱２０を適宜間隔で樹立し、該各支柱２０上に横架した複数本の横架材２１が前記間仕切板１０の上端部上を横断し、該横架材２１により樋形の天板２２を略水平であるが該水槽の後方に向けては僅かに傾斜状なるように支持している。該天板２２は、図４に示されるように、上面が開放され両側縁に側板８５ａ，８５ｂが形成されているとともに中仕切板８６が形成され、該中仕切板８６により該天板２２内を第１域２２ａと第２域２２ｂに仕切している。そして、その第１域２２ａと第２域２２ｂの内底面にフラットバーからなるガイドレール２３ａ〜２３ｄをそれぞれ該水槽１の長手方向と平行なるように敷設している。なお、図６に示したように該水槽１の後部に樹立した支柱２０によっては下向円弧状に形成された弧状部２４が支持され、該弧状部２４の内底面にそれぞれ前記各ガイドレール２３ａ〜２３ｄの後端部と連なるように下向円弧状の転向レール２４ａ〜２４ｄを固着している。
なお、天板２２の第２域２２ｂの後端部に後述するように固形物を流落させるための落下口８７を開設し、図５に示したように該落下口８７の下に傾斜シュート８８を設け、該傾斜シュート８８を前記間仕切板１０に貫通させ、該傾斜シュート８８の先端縁を前記水槽１の第１域１ａ上に延設している。
【００１０】
また、水槽１の後部の両側板２，３間に支軸２５を水平に横架し、該支軸２５に円板状のガイドホイール２６ａ〜２６ｄを適宜間隔で固設している。
また、図１０、図１１に示したように、水槽１の底面部５と傾斜面部６との境は緩やかに連なるように円弧面状底板５ａが形成され、該円弧面状底板５ａが位置する両側板２，３の相対する部位にそれぞれガイド部材２７ａ，２７ｂを設け、該ガイド部材２７ａ，２７ｂに形成されたガイド溝２７ｃに横架棒２９の両端部をスライド可能に支持している。そして該横架棒２９に扇形板３１ａ〜３１ｄを固設し、該各扇形板３１ａ〜３１ｄの先端部外周に円弧状の押付レール３２ａ〜３２ｄを固着している。また、ガイド部材２７ａ，２７ｂの上方部位にて前記支柱２０にブラケット３０ａ，３０ｂを固設し、該ブラケット３０ａ，３０ｂにネジ軸３０ｃを貫挿し、該ネジ軸３０ｃに螺着したナット３０ｄとブラケット３０ａ，３０ｂの間にコイルばね３０ｅを圧縮状態で配設し、該各ネジ軸３０ｃの下方端を前記横架棒２９の両端部寄りの前記扇形板３１ａ，３１ｄの基部外周に当接させる。このため、横架棒２９，扇形板３１ａ〜３１ｄ，押付レール３２ａ〜３２ｄは、該コイルばね３０ｅより円弧面状底板５ａに向けて弾性的に押圧される。なお、該各ネジ軸３０ｃの上方端部にこの押圧域を制限するストッパ用ナット３０ｆが螺合されている。このためネジ軸３０ｃに対する前記ナット３０ｄおよびナット３０ｆの螺合部位を微調節することにより、押付レール３２ａ〜３２ｄの高さや押圧力を調整し得るようにしている。
【００１１】
また、図１，図２に示したように前記傾斜面部６の側壁板７，８の上端部付近に軸受３４ａ，３４ｂを設けることにより回転軸３５を回転自在に軸支し、該回転軸３５に４つのスプロケット３６ａ〜３６ｄを適宜間隔で固設するとともに、該側壁板７の上部に据付台３８を構築し該据付台３８上にモータと減速機とからなる駆動機構３９を支持し、該駆動機構３９の回転出力軸に固着したスプロケット４０と前記回転軸３５の一端部に固設したスプロケット４１とに伝動チェーン４２を巻掛し、該駆動機構３９を作動させることで該伝動チェーン４２を介して回転軸３５が回転駆動され、スプロケット３６ａ〜３６ｄが矢印の方向に低速で回転動されるようにしている。
【００１２】
次に４本のコンベヤチェーン５１ａ〜５１ｄについて図７〜図９に従い説明する。なお図７〜図９は２本のコンベヤチェーン５１ａ，５１ｂだけを示すが、コンベヤチェーン５１ｃ，５１ｄも構成は同じである。該各コンベヤチェーン５１ａ〜５１ｄは、多数のリンク４５をそれぞれローラー４６を間に介して連鎖することにより無端状（環状）に形成され、多数のリンク４５の内の長手方向に一定個数の間隔にては外方にＬ字状に屈曲した取付片４５ａが一体に形成されたリンクを介在させている。そして、該取付片４５ａを利用して該コンベヤチェーン５１ａ〜５１ｄに先端縁５２ａ′，先端縁５２ｂ′がその環状の外周向になるように複数のレーキ５２ａ，５２ｂを適宜間隔で取着するとともに、先端縁９０ａ′，先端縁９０ｂ′が環状の内周向になるように複数のスクレーパ９０ａ，９０ｂを止着している。レーキ５２ａ，５２ｂは長方形板状であって、取付金具５３ａに座板５８とボルト・ナット５９により固定されている。また、スクレーパ９０ａ，９０ｂは、前記レーキ５２ａ，５２ｂよりも小幅な板状であって、コンベヤチェーン５１ａ，５１ｂの間に位置する長方形状のものと、それぞれコンベヤチェーン５１ａ，５１ｂの外側に位置する小さな略正方形板状のものとからなり、いずれも先端縁９０ａ′，先端縁９０ｂ′が前記レーキ５２ａ，５２ｂ程には突出しない小幅な寸法に形成されている。そして、該各スクレーパ９０ａ，９０ｂは取付金具９１ａに座板９２とボルト・ナット９３により固定され、前記取付金具５３ａと該取付金具９１ａとを前記取付片４５ａに対しボルト４５ｂを貫挿することにより取着される。
【００１３】
そして、該各コンベヤチェーン５１ａ〜５１ｄを前記ガイドホイール２６ａ〜２６ｄの外周および図１１に示したように前記押付レール３２ａ〜３２ｄの下側に通すことにより、該コンベヤチェーン５１ａ〜５１ｄを水槽１の底面部５から傾斜面部６に亘って張設するとともに、該各コンベヤチェーン５１ａ〜５１ｄを前記スプロケット３６ａ〜３６ｄに巻掛し、該コンベヤチェーン５１ａ〜５１ｄを図４，図５に示したようにさらに前記天板２２のガイドレール２３ａ〜２３ｄ上および前記転向レール２４ａ〜２４ｄ上にそれぞれ前記ローラー４６が摺接するように支持する。そしてさらに前記転向レール２４ａ〜２４ｄに沿って該コンベヤチェーン５１ａ〜５１ｄを下降させて水槽１中の前記ガイドホイール２６ａ〜２６ｄの外周に巻き掛け、水槽１の底面部５に沿うようにすることで該コンベヤチェーン５１ａ〜５１ｄを大きな環状に巻掛する。
【００１４】
これにより、前記駆動機構３９を作動させたとき、コンベヤチェーン５１ａ〜５１ｄはスプロケット３６ａ〜３６ｄによって牽引されて水槽１の底面部５と傾斜面部６に亘って図１の矢印に示した方向に移動し、レーキ５２ａ，５２ｂを該底面部５から該傾斜面部６に沿って低速度でゆっくりと移動させる。そして該スプロケット３６ａ〜３６ｄによって上方に転方したコンベヤチェーン５１ａ〜５１ｄはガイドレール２３ａ〜２３ｄ上に支持されて後方へ帰戻し、転向レール２４ａ〜２４ｄに沿って下向きに方向転換されて水槽１内に入り、ガイドホイール２６ａ〜２６ｄの外周に摺接することで再び底面部５に沿って前方に進行し巡回する。このようにコンベヤチェーン５１ａ〜５１ｄは、水槽１の底面部５から傾斜面部６に亘ってが往路となり前記ガイドレール２３ａ〜２３ｄ上が帰路となるように大きな環状に張設される。
【００１５】
なお、コンベヤチェーン５１ａ，５１ｂは水槽１の前記第１域１ａを傾斜面部６に向けて進行し、コンベヤチェーン５１ｃ，５１ｄは水槽１の前記第２域１ｂを傾斜面部６に向けて進行する。該コンベヤチェーン５１ａとコンベヤチェーン５１ｂとに亘っては前記したようにレーキ５２ａが固着され、コンベヤチェーン５１ｃとコンベヤチェーン５１ｄとに亘ってはレーキ５２ｂを固着しているので、一方のレーキ５２ａは第１域１ａの底面を擦りつつ傾斜面部６に向けて移動し、他方のレーキ５２ｂは第２域１ｂの底面を擦りつつ傾斜面部６に向けて移動するようになる。
また、コンベヤチェーン５１ａ，５１ｂが前記天板２２上に支持されて帰戻する際に、図４に示したように、前記スクレーパ９０ａは、該天板２２の第１域２２ａの底面を擦りつつ後方に向けて移動し、前記スクレーパ９０ｂは、第２域２２ｂの底面を擦りつつ後方に向けて移動するようになる。
【００１６】
一方、水槽１における前記第２域１ｂの前記通水部１１から離れた部位であって側板３の端に、図５，図６に示したように、複数本のパイプ６０ａ〜６０ｇを一鉛直面内にて水平横架状なるように段積してなる水切ゲート６１を設け、該水切ゲート６１が該水槽１の第２域１ｂの側板３の一部をなすようにしている。該水切ゲート６１は、具体的には、適宜間隔で樹立したチャンネル部材からなる支柱６２ａ，６２ｂ間に横架柱６２ｃを設けることで門形に形成し、該支柱６２ａ，６２ｂの間に複数本のパイプ６０ａ〜６０ｇの両端部を遊嵌することで該パイプ６０ａ〜６０ｇを互いに線接触状態にして段積し、該横架柱６２ｃに止着した棒材６４およびバネ６５によって押圧部材６６を下向きに付勢し、該押圧部材６６を最上段のパイプ６０ａの上面に当接させて該パイプ６０ａ〜６０ｇを弾性的に押し下げている。そして、該パイプ６０ａの下に位置するパイプ６０ｂ〜６０ｇの外周面にレバー６７ｂ〜６７ｇを突設し、前記横架柱６２ｃに支持した流体圧シリンダ６８ｂ〜６８ｇの作動杆を該レバー６７ｂ〜６７ｇの先端部にピンを介して連結し、該流体圧シリンダ６８ｂ〜６８ｇを伸縮作動させることにより、該各パイプ６０ｂ〜６０ｇが自転するようにしている。なお、該パイプ６０ｂ〜６０ｇの両端部寄りの外周面にそれぞれクサビ状の突起６９を固着し、パイプ６０ｂ〜６０ｇを自転させたときに該突起６９が該パイプ６０ａ〜６０ｇ間に介入することで該各パイプ６０ａ〜６０ｇ間の隙間が適宜拡大され、目詰まりが解消されるようにしている。
なお、７０は水槽１の後側板４に設けられたオーバーフロー樋である。
【００１７】
このように構成したコンクリートスラリー処理装置では、図２に示したように、コンクリートミキサー車８０が水槽１の横に前記第１域１ａと相対するように停車され、該コンクリートミキサー車８０から泥水状のコンクリートスラリーが該第１域１ａに投入される。なお、間仕切板１０は背高に形成されていることから、コンクリートミキサー車８０から放出されたコンクリートスラリーが直接第２域１ｂに入ることはない。
そして第１域１ａに投入されたコンクリートスラリーは、図３に破断線の矢印で示したように、第１域１ａを間仕切板１０に沿って通水部１１の方に流れ、該通水部１１にてＵターンして第２域１ｂに流れ、該第２域１ｂの終端部に設けられた水切ゲート６１に至る。このようにコンクリートスラリーが間仕切板１０をＵターンして流れることで、コンクリートスラリーが水切ゲート６１に到達するまでの時間が長くなり、コンクリートスラリー中の砂利，砂等の固形分が沈降するのに十分な滞留時間が得られる。
【００１８】
そして、駆動機構３９を作動させコンベヤチェーン５１ａ〜５１ｄを巡回動させることにより、レーキ５２ａ，５２ｂが底面部５に堆積した固形物７１を傾斜面部６に向けてゆっくりと押すことから該固形物７１を傾斜面部６に掻き揚げる。そして固形物７１が傾斜面部６上をゆっくり上方に移動することで、該固形物７１に付着していた水分の多くは該傾斜面部６上を流下し水槽１に戻る。このため、固形物７１を傾斜面部６の上方まで移動させることで水切がよくなり、水分割合が小さい固形物７１が排出口９より排出される。なお、排出口９より排出された固形物７１は、セメントの水和反応により硬い塊状に固まるので、安定廃棄物として処分される。
【００１９】
なお、第２域１ｂに設けられている水切ゲート６１まで流れ来た水は、該水切ゲート６１のパイプ６０ａ〜６０ｇの隙間から水槽外に排出され、排出された水はタンク（図示せず）に一時的に貯留した後、コンクリートミキサー車８０を洗浄する際の洗浄水等として再利用される。該水切ゲート６１は、複数本のパイプ６０ａ〜６０ｇが線接触するように段積され、該パイプ６０ａ〜６０ｇを上方から押圧部材６６によって弾性的に押し下げていることから、該水切ゲート６１まで流れ来ても未だ残っていたコンクリートスラッジ中の微砂等の固形物は該パイプ６０ａ〜６０ｇによって堰き止められる一方、水分は該各パイプ６０ａ〜６０ｇ間の僅かな隙間から水槽外へ流出する。そして、適当な時期に前記シリンダ６８ｂ〜６８ｇを伸縮作動させることによっては、パイプ６０ｂ〜６０ｇが自転し、突起６９が該各パイプ６０ａ〜６０ｇの間に挟入し、該各パイプ６０ａ〜６０ｇの隙間を拡大し得る。
【００２０】
また、コンベヤチェーン５１ａ〜５１ｄが固形物７１を傾斜面部６に掻き上げる際に、該コンベヤチェーン５１ａ〜５１ｄに一部の固形物が付着したまま前記天板２２上に来ることで、該固形物が該天板２２上に持ち込まれるが、前記スクレーパ９０ａが該天板２２の第１域２２ａの底面を摺動し、該固形物を後方の弧状部２４を経て水槽１の第１域１ａの後部に流落させるとともに、前記スクレーパ９０ｂは第２域２２ｂの底面を摺動し、第２域２２ｂに持ち込まれた固形物を前記落下口８７から傾斜シュート８８に落下させ、さらに該傾斜シュート８８の先端から該固形物を該水槽１の第１域１ａの後部に流落させる。このように、コンベヤチェーン５１ａ〜５１ｄが天板２２上に持ち込んだ固形物は、いずれも水槽１の第１域１ａの後部に流落するようにしている。このため、水切ゲート６１の近くにこうした固形物が落下することなく、水切ゲート６１に直に固形物が帰来することによる目詰まり等の不都合がおきるおそれは解消され、こうした固形物は再び第１域１ａから第２域１ｂを経る間に沈降する。このため固形物の沈降を妨害することなく、水槽１内における固形物分の沈降が確実になされ所期の固液分離性能が維持される。
【００２１】
また、水槽１に間仕切板１０を設け、コンクリートミキサー車８０等から第１域１ａにコンクリートスラリーが投入されるようにしたことによっては、コンクリートスラリーが投入された際の該水槽１内のコンクリートスラリーの流動が該間仕切板１０によって止められ、コンクリートスラリー投入時に第２域１ｂまで含めて水槽１全体が攪拌されることがないとともに、該コンクリートスラリーは第１域１ａから該間仕切板１０をＵターンして第２域１ｂに流れ、水切ゲート６１に達するので、コンクリートスラリーが該水槽１内に長時間滞留し、その間により多くの固形物７１が底面部５に沈降し、水切ゲート６１からは上澄水をスムースに排出させることができる。
なおこの実施形態ではパイプ６０ａ〜６０ｇを段積してなる水切ゲートを設けたが、第２域１ｂに設ける水切ゲートは必ずしもこうした構造のものでなくても、従来からの濾過装置、脱水装置等を設けてもよい。
また、この実施形態では間仕切板１０によって水槽１を仕切した例を示したが、水槽をこのように仕切していない装置であっても、固形物を掻き上げるコンベヤチェーンに先端縁が内周向となるようにスクレーパを設けることにより、天板上に固形物が溜まるのを防止することができる。
【符号の説明】
【００２２】
１                  水槽
１ａ                水槽の第１域
１ｂ                水槽の第２域
６                  傾斜面部
１０                間仕切板
１１                通水部
２２                天板
２２ａ              天板の第１域
２２ｂ              天板の第２域
２３ａ〜２３ｄ      ガイドレール
３６ａ〜３６ｄ      スプロケット
３９                駆動機構
５１ａ〜５１ｄ      コンベヤチェーン
５２ａ，５２ｂ      レーキ
５２ａ′，５２ｂ′  レーキの先端縁
６１                水切ゲート
７１                固形物
８０                コンクリートミキサー車
８７                落下口
８８                傾斜シュート
９０ａ，９０ｂ      スクレーパ
９０ａ′，９０ｂ′  スクレーパの先端縁
【図１】
0006843447.tif 000002
【図２】
0006843447.tif 000003
【図３】
0006843447.tif 000004
【図４】
0006843447.tif 000005
【図５】
0006843447.tif 000006
【図６】
0006843447.tif 000007
【図７】
0006843447.tif 000008
【図８】
0006843447.tif 000009
【図９】
0006843447.tif 000010
【図１０】
0006843447.tif 000011
【図１１】
0006843447.tif 000012